【手続補正書】
【提出日】平成16年12月17日(2004.12.17)
【手続補正１】
【補正対象書類名】明細書
【補正対象項目名】特許請求の範囲
【補正方法】変更
【補正の内容】
【特許請求の範囲】
【請求項１】
自動伴奏あるいは自動演奏を進行させるテンポを発生するテンポ発生手段と、
このテンポ発生手段が発生するテンポに同期した表拍および裏拍の何れかを指定する同期拍指定手段と、
この同期拍指定手段によって指定された表拍あるいは裏拍のタイミング毎に、少なくとも音高、音色および音量のいずれかの楽音要素の変調を指示する変調指示手段と、
この変調指示手段にて指示された楽音要素を変調する変調波形を発生する変調波形発生手段と、
前記テンポ発生手段が発生するテンポに応じて再生される楽音と鍵盤操作に応じて生成される楽音とを、前記変調波形に応じて変調する変調手段と
を具備することを特徴とする楽音変調装置。
【請求項２】
自動伴奏あるいは自動演奏を進行させるテンポを発生するテンポ発生過程と、
このテンポ発生過程にて発生するテンポに同期した表拍および裏拍の何れかを指定する同期拍指定過程と、
この同期拍指定過程にて指定された表拍あるいは裏拍のタイミング毎に、少なくとも音高、音色および音量のいずれかの楽音要素の変調を指示する変調指示過程と、
この変調指示過程にて指示された楽音要素を変調する変調波形を発生する変調波形発生過程と、
前記テンポ発生過程で発生したテンポに応じて再生される楽音と鍵盤操作に応じて生成される楽音とを、前記変調波形に応じて変調する変調過程と
を具備することを特徴とする楽音変調方法。
【請求項３】
自動伴奏あるいは自動演奏を進行させるテンポを発生するテンポ発生ステップと、
このテンポ発生ステップにて発生するテンポに同期した表拍および裏拍の何れかを指定する同期拍指定ステップと、
この同期拍指定ステップにて指定された表拍あるいは裏拍のタイミング毎に、少なくとも音高、音色および音量のいずれかの楽音要素の変調を指示する変調指示ステップと、
この変調指示ステップにて指示された楽音要素を変調する変調波形を発生する変調波形発生ステップと、
前記テンポ発生ステップで発生したテンポに応じて再生される楽音と鍵盤操作に応じて生成される楽音とを、前記変調波形に応じて変調する変調ステップと
をコンピュータで実行させることを特徴とする楽音変調プログラム。
【請求項４】
自動伴奏あるいは自動演奏を進行させるテンポを発生するテンポ発生手段と、
音高、音色および音量の各楽音要素を、前記テンポ発生手段が発生したテンポに同期した表拍あるいは裏拍の何れの拍タイミングに割り当てるかを指定する同期拍割り当て手段と、
前記テンポ発生手段が発生したテンポに同期した表拍あるいは裏拍のタイミング毎に、対応する拍タイミングに割り当てられた楽音要素の変調を指示する変調指示手段と、
この変調指示手段にて変調指示された楽音要素毎の変調波形を発生する変調波形発生手段と、
前記テンポ発生手段が発生したテンポに応じて再生される楽音と鍵盤操作に応じて生成される楽音とを、前記変調波形に応じて変調する変調手段と
を具備することを特徴とする楽音変調装置。
【請求項５】
自動伴奏あるいは自動演奏を進行させるテンポを発生するテンポ発生過程と、
音高、音色および音量の各楽音要素を、前記テンポ発生過程にて発生したテンポに同期した表拍あるいは裏拍の何れの拍タイミングに割り当てるかを指定する同期拍割り当て過程と、
前記テンポ発生過程で発生したテンポに同期した表拍あるいは裏拍のタイミング毎に、対応する拍タイミングに割り当てられた楽音要素の変調を指示する変調指示過程と、
この変調指示過程にて変調指示された楽音要素毎の変調波形を発生する変調波形発生過程と、
前記テンポ発生過程で発生したテンポに応じて再生される楽音と鍵盤操作に応じて生成される楽音とを、前記変調波形に応じて変調する変調過程と
を具備することを特徴とする楽音変調方法。
【請求項６】
自動伴奏あるいは自動演奏を進行させるテンポを発生するテンポ発生ステップと、
音高、音色および音量の各楽音要素を、前記テンポ発生過程にて発生したテンポに同期した表拍あるいは裏拍の何れの拍タイミングに割り当てるかを指定する同期拍割り当てステップと、
前記テンポ発生ステップで発生したテンポに同期した表拍あるいは裏拍のタイミング毎に、対応する拍タイミングに割り当てられた楽音要素の変調を指示する変調指示ステップと、
この変調指示ステップにて変調指示された楽音要素毎の変調波形を発生する変調波形発生ステップと、
前記テンポ発生ステップで発生したテンポに応じて再生される楽音と鍵盤操作に応じて生成される楽音とを、前記変調波形に応じて変調する変調ステップと
をコンピュータで実行させることを特徴とする楽音変調プログラム。
【手続補正２】
【補正対象書類名】明細書
【補正対象項目名】０００６
【補正方法】変更
【補正の内容】
【０００６】
【課題を解決するための手段】
上記目的を達成するため、請求項１に記載の発明では、自動伴奏あるいは自動演奏を進行させるテンポを発生するテンポ発生手段と、このテンポ発生手段が発生するテンポに同期した表拍および裏拍の何れかを指定する同期拍指定手段と、この同期拍指定手段によって指定された表拍あるいは裏拍のタイミング毎に、少なくとも音高、音色および音量のいずれかの楽音要素の変調を指示する変調指示手段と、この変調指示手段にて指示された楽音要素を変調する変調波形を発生する変調波形発生手段と、前記テンポ発生手段が発生するテンポに応じて再生される楽音と鍵盤操作に応じて生成される楽音とを、前記変調波形に応じて変調する変調手段とを具備することを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項２に記載の発明では、自動伴奏あるいは自動演奏を進行させるテンポを発生するテンポ発生過程と、このテンポ発生過程にて発生するテンポに同期した表拍および裏拍の何れかを指定する同期拍指定過程と、この同期拍指定過程にて指定された表拍あるいは裏拍のタイミング毎に、少なくとも音高、音色および音量のいずれかの楽音要素の変調を指示する変調指示過程と、この変調指示過程にて指示された楽音要素を変調する変調波形を発生する変調波形発生過程と、前記テンポ発生過程で発生したテンポに応じて再生される楽音と鍵盤操作に応じて生成される楽音とを、前記変調波形に応じて変調する変調過程とを具備することを特徴とする。
【手続補正７】
【補正対象書類名】明細書
【補正対象項目名】００１１
【補正方法】変更
【補正の内容】
【００１１】
請求項３に記載の発明では、自動伴奏あるいは自動演奏を進行させるテンポを発生するテンポ発生ステップと、このテンポ発生ステップにて発生するテンポに同期した表拍および裏拍の何れかを指定する同期拍指定ステップと、この同期拍指定ステップにて指定された表拍あるいは裏拍のタイミング毎に、少なくとも音高、音色および音量のいずれかの楽音要素の変調を指示する変調指示ステップと、この変調指示ステップにて指示された楽音要素を変調する変調波形を発生する変調波形発生ステップと、前記テンポ発生ステップで発生したテンポに応じて再生される楽音と鍵盤操作に応じて生成される楽音とを、前記変調波形に応じて変調する変調ステップとをコンピュータで実行させることを特徴とする。
【手続補正８】
【補正対象書類名】明細書
【補正対象項目名】００１２
【補正方法】変更
【補正の内容】
【００１２】
請求項４に記載の発明では、自動伴奏あるいは自動演奏を進行させるテンポを発生するテンポ発生手段と、音高、音色および音量の各楽音要素を、前記テンポ発生手段が発生したテンポに同期した表拍あるいは裏拍の何れの拍タイミングに割り当てるかを指定する同期拍割り当て手段と、前記テンポ発生手段が発生したテンポに同期した表拍あるいは裏拍のタイミング毎に、対応する拍タイミングに割り当てられた楽音要素の変調を指示する変調指示手段と、この変調指示手段にて変調指示された楽音要素毎の変調波形を発生する変調波形発生手段と、前記テンポ発生手段が発生したテンポに応じて再生される楽音と鍵盤操作に応じて生成される楽音とを、前記変調波形に応じて変調する変調手段とを具備することを特徴とする。
【手続補正９】
【補正対象書類名】明細書
【補正対象項目名】００１３
【補正方法】変更
【補正の内容】
【００１３】
請求項５に記載の発明では、自動伴奏あるいは自動演奏を進行させるテンポを発生するテンポ発生過程と、音高、音色および音量の各楽音要素を、前記テンポ発生過程にて発生したテンポに同期した表拍あるいは裏拍の何れの拍タイミングに割り当てるかを指定する同期拍割り当て過程と、前記テンポ発生過程で発生したテンポに同期した表拍あるいは裏拍のタイミング毎に、対応する拍タイミングに割り当てられた楽音要素の変調を指示する変調指示過程と、この変調指示過程にて変調指示された楽音要素毎の変調波形を発生する変調波形発生過程と、前記テンポ発生過程で発生したテンポに応じて再生される楽音と鍵盤操作に応じて生成される楽音とを、前記変調波形に応じて変調する変調過程とを具備することを特徴とする。
【手続補正１０】
【補正対象書類名】明細書
【補正対象項目名】００１４
【補正方法】変更
【補正の内容】
【００１４】
請求項６に記載の発明では、自動伴奏あるいは自動演奏を進行させるテンポを発生するテンポ発生ステップと、音高、音色および音量の各楽音要素を、前記テンポ発生過程にて発生したテンポに同期した表拍あるいは裏拍の何れの拍タイミングに割り当てるかを指定する同期拍割り当てステップと、前記テンポ発生ステップで発生したテンポに同期した表拍あるいは裏拍のタイミング毎に、対応する拍タイミングに割り当てられた楽音要素の変調を指示する変調指示ステップと、この変調指示ステップにて変調指示された楽音要素毎の変調波形を発生する変調波形発生ステップと、前記テンポ発生ステップで発生したテンポに応じて再生される楽音と鍵盤操作に応じて生成される楽音とを、前記変調波形に応じて変調する変調ステップとをコンピュータで実行させることを特徴とする。
【手続補正１１】
【補正対象書類名】明細書
【補正対象項目名】００７５
【補正方法】変更
【補正の内容】
【００７５】
【発明の効果】
請求項１〜３に記載の発明によれば、自動伴奏あるいは自動演奏を進行させるテンポに同期した表拍および裏拍の何れかを指定すると、指定された表拍あるいは裏拍のタイミング毎に、音高、音色および音量のいずれかの楽音要素の変調を指示し、前記テンポに応じて再生される楽音と鍵盤操作に応じて生成される楽音とを、指示された楽音要素を変調する変調波形に応じて変調するので、３連符や６／８拍子を基準にした「シャッフル」と呼ばれるリズムや、裏拍にアクセントがある「マーチ」あるいは「スカ」等のリズム感を効果的に強調した楽音を生成することができる。
請求項４〜６に記載の発明によれば、音高、音色および音量の各楽音要素を、テンポ発生手段が発生したテンポに同期した表拍あるいは裏拍の何れの拍タイミングに割り当てるかを指定すると、テンポに同期した表拍あるいは裏拍のタイミング毎に、対応する拍タイミングに割り当てられた楽音要素の変調を指示し、その変調指示された楽音要素毎の変調波形によって、前記テンポに応じて再生される楽音と鍵盤操作に応じて生成される楽音とを変調するので、より一層リズム感を効果的に強調した楽音を生成することができる。